(57)【要約】      （修正有）【課題】組立作業者の負担を軽減して極めて容易且つ迅速な組立作業を行えるようにした組立包装箱の提供。【解決手段】底板１の各底フラップ６の重合位置に起立自在の係止片１２を設け、各底フラップ６に係止片１２を係止させる受け部１３を設ける。両底フラップ６を底板１上に重合させた直後に、係止片１２を起立させて底フラップ６の受け部１３に係止させ、底フラップ６と底板１との重合を維持した状態で、前板２に対して耳片１０を折り曲げ、底板１に対して前板を起立させる。【選択図】図３
0003134431.tif 000002
【実用新案登録請求の範囲】
【請求項１】
底板の前後の側縁に折目線を介して連設された前板と後板とを底板に対して起立させるに先立ち、後板の左右の側縁に折目線を介して連設された一対の側板を互いに対向する方向に折り曲げると共に、各側板の下縁に折目線を介して連設された夫々の底フラップを底板と後板との境界の折目線上に沿うように折り曲げ、その後、後板を底板に対して起立させることによって両底フラップを底板上に重合させ、次いで、前板の左右の側縁に折目線を介して連設された一対の耳片を互いに対向する方向に折り曲げ、前板を底板に対して起立させることによって各耳片を夫々側板の内面に重合させ、各側板の上縁に折目線を介して連設された夫々の折返片を下方に折り返して各耳片の内面に重合させ、折返片による各耳片の抱き込み保持により、組立状態が維持される組立包装箱において、
底板における各底フラップの重合位置に底板から折目線を介して起立自在の係止片を設けると共に、各底フラップに係止片を受入れて係止自在の受け部を設け、
後板を底板に対して起立させて両底フラップを底板上に重合させた直後に、係止片を起立させて底フラップの受け部に係止させ、底フラップと底板との重合を維持した状態で、前板に対して耳片を折り曲げ、底板に対して前板を起立させることにより形成されることを特徴とする組立包装箱。
【請求項２】
前記係止片は折目線に沿った辺がその対向側の辺より短い台形状に切り抜き形成されて底板から遊離自在とされ、前記受け部は、係止片に対応する形状に形成されていることを特徴とする請求項１記載の組立包装箱。
【請求項３】
前記係止片の折目線の対向側の端縁に沿った少なくとも一部に、底板を貫通する指掛け穴が形成されていることを特徴とする請求項１又は２記載の組立包装箱。
【考案の詳細な説明】
【技術分野】
【０００１】
本考案は、略矩形状の板紙を折り曲げることにより組み立てることができる組立包装箱に関する。
【背景技術】
【０００２】
従来、花卉類等の包装に用いられる組立包装箱は、接着剤等を使用することなく展開状態から組み立てることが可能とされている。その構成を説明すれば、底板の前側縁に前板が連設され、底板の後側縁に後板が連設され、更に、後板の左右側に一対の側板が連設されていると共に、前板の左右側にも一対の耳片が連設されている。更に、各側板には底板上に重合する底フラップが連設されている。また、各側板の上縁には折返片が連設されている。
【０００３】
そして、組立包装箱を組み立てるときには、先ず、後板の左右側縁から折目線を介して両側板を互いに対向する方向に折り曲げ、各側板の下縁から折目線を介して各底フラップを底板と後板との境界に沿うように折り曲げる。次いで、底板の後側縁から折目線を介して後板を起立させる。これにより、両底フラップが底板上に重合する。
【０００４】
その後、前板の左右側から折目線を介して各耳片を互いに対向する方向に折り曲げ、耳片の折り曲げ状態を維持して、底板の前側縁から折目線を介して前板を起立させる。これにより、各耳片が夫々側板の内面に重合する。
【０００５】
その後、各側板の上縁から折目線を介して折返片を折り返して各耳片の内面に重合させる。これにより、折返片が各耳片を抱き込んで保持し、組立状態が維持される。
【０００６】
しかし、この組立包装箱は、後板の左右に連設された一対の側板の夫々に底フラップが連設されており、しかも、前板の左右に連設された耳片を両側板の内面に重合させる構成であることから、両底フラップを底板上に重合させた状態を維持ながら両耳片の折り曲げ、更に、両耳片の折り曲げ状態を維持しながら前板を起立させる作業を行なわなければならない。従って、前板を起立させるまでは、両底フラップを底板上に重合させた状態と両耳片の折り曲げ状態との両方を維持させておく必要がある。このため、例えば、両耳片の折り曲げに両手を使う一方で、両底フラップを両足で押さえるというふうに、作業者に無理な姿勢を強いるために作業者の負担が大きく、迅速な組立作業を行うために熟練が必要となる不都合がある。
【考案の開示】
【考案が解決しようとする課題】
【０００７】
かかる不都合を解消して、本考案は、組立作業者の負担を軽減して極めて容易且つ迅速に組立作業を行うことができる組立包装箱を提供することを目的とする。
【課題を解決するための手段】
【０００８】
かかる目的を達成するために、本考案は、底板の前後の側縁に折目線を介して連設された前板と後板とを底板に対して起立させるに先立ち、後板の左右の側縁に折目線を介して連設された一対の側板を互いに対向する方向に折り曲げると共に、各側板の下縁に折目線を介して連設された夫々の底フラップを底板と後板との境界の折目線上に沿うように折り曲げ、その後、後板を底板に対して起立させることによって両底フラップを底板上に重合させ、次いで、前板の左右の側縁に折目線を介して連設された一対の耳片を互いに対向する方向に折り曲げ、前板を底板に対して起立させることによって各耳片を夫々側板の内面に重合させ、各側板の上縁に折目線を介して連設された夫々の折返片を下方に折り返して各耳片の内面に重合させ、折返片による各耳片の抱き込み保持により、組立状態が維持される組立包装箱において、底板における各底フラップの重合位置に底板から折目線を介して起立自在の係止片を設けると共に、各底フラップに係止片を受入れて係止自在の受け部を設け、後板を底板に対して起立させて両底フラップを底板上に重合させた直後に、係止片を起立させて底フラップの受け部に係止させ、底フラップと底板との重合を維持した状態で、前板に対して耳片を折り曲げ、底板に対して前板を起立させることにより形成されることを特徴とする。
【０００９】
本考案の組立包装箱は、先ず、後板の左右側縁から両側板を互いに対向する方向に折り曲げ、各側板の下縁から各底フラップを折り曲げる。次いで、底板の後側縁から後板を起立させる。これにより、両底フラップを底板上に重合させる。そしてこの直後に、係止片を起立させて底フラップの受け部に係止させる。
【００１０】
その後、前板の左右側から折目線を介して各耳片を互いに対向する方向に折り曲げ、耳片の折り曲げ状態を維持して、底板の前側縁から折目線を介して前板を起立させる。これにより、各耳片を夫々側板の内面に重合させる。続いて、各側板の上縁から折目線を介して折返片を折り返して各耳片の内面に重合させる。これにより、折返片が各耳片を抱き込んで保持し、組立状態が維持される。
【００１１】
このように、本考案によれば、後板を底板に対して起立させて両底フラップを底板上に重合させた直後に、係止片を起立させて底フラップの受け部に係止させることにより、底フラップと底板とを重合させた状態に維持することができる。これによって、両耳片の折り曲げから前板を起立させるまで、底フラップを底板上に押えておく手間が省け、前板を起立させて耳片を側板の内面に重合させる作業を容易に行うことができる。
【００１２】
また、本考案においては、前記係止片は折目線に沿った辺がその対向側の辺より短い台形状に切り抜き形成されて底板から遊離自在とされ、前記受け部は、係止片に対応する形状に形成されていることが好ましい。これにより、係止片が底板から起立した状態では、係止片はその基部側（折目線側）から上縁側にかけて次第に幅が拡大し、係止片に対応する受け部に受け入れられたときには、幅の狭い部分同士で確実に係止状態を維持することができる。
【００１３】
また、本考案においては、前記係止片の折目線の対向側の端縁に沿った少なくとも一部に、底板を貫通する指掛け穴が形成されていることが好ましい。指掛け穴が形成されていることによって、底板の上面側（箱の内部側）から指掛け穴に指を掛けて係止片を引き起こすことができ、係止片を起立させる作業が極めて容易に行える。これにより、作業者の負担が一層軽減され、組立作業を迅速に行うことができる。
【考案を実施するための最良の形態】
【００１４】
本考案の一実施形態を図面に基づいて説明する。図１は本実施形態の組立包装箱の外観を示す説明的斜視図、図２は本実施形態の組立包装箱の展開図、図３は本実施形態の組立包装箱の組立作業時における要部を示す説明図である。
【００１５】
本実施形態の組立包装箱は、図１に示すように、直方体の箱形状に形成され、内部に花卉類等を収容して包装するものである。組立包装箱は、一枚の段ボール製板紙を折り曲げるだけで箱形状に組み立てることができ、接着剤等を用いることなく箱形状を維持することができるようになっている。
【００１６】
その展開状態は、図２に示す構成となっている。即ち、矩形状の底板１の前側縁には、折目線ａを介して前板２が連設され、底板１の後側縁には折目線ｂを介して後板３が連設されている。後板３の左右の側縁には折目線ｃを介して一対の側板４が連設され、後板３の後側縁（組立後には上縁となる）には折目線ｄを介して天板５が連設されている。
【００１７】
各側板４の前側縁（組立後には下縁となる）には、夫々、折目線ｅを介して底フラップ６が連設されている。更に、各側板４の後側縁（組立後には上縁となる）には、夫々、折目線ｆを介して天フラップ７が連設されている。
【００１８】
各天フラップ７には、コ字形の切目線ｇにより遊離自在の折返片８が形成され、折返片８は各側板４に折目線ｈを介して連設された状態となっている。なお、底フラップ６の折目線ｅに沿って折返片８に対応する位置には、後述するように折り返された折返片８の先端を挿入して係止する係止穴９が形成されている。
【００１９】
また、前板２の左右の側縁には折目線ｉを介して一対の耳片１０が連設され、前板２の前側縁（組立後には上縁となる）には、折目線ｊを介して舌片１１が連設されている。
【００２０】
そして、底板１には、切目線ｋにより底板１から遊離自在とされた一対の係止片１２が形成されている。係止片１２は、一辺が折目線ｍにより底板１に連設されている。係止片１２は、その折目線ｍに沿った辺よりもその反対側の辺である先端縁１２ａが長く形成された台形状とされている。一方、底フラップ６の下縁（組立後には側縁となる）には係止片１２に対応する形状の凹部１３（受け部）が形成されている。係止片１２は、底フラップ６の重合位置に設けられており、後述するように底板１上に底フラップ６を重合させたとき、凹部１３が係止片１２上に合致して位置されるようになっている。
【００２１】
更に、係止片１２の先端縁１２ａに沿った一部には係止片１２の先端縁１２ａに指が掛けられるように底板１を貫通して形成された指掛け穴１４が設けられている。
【００２２】
図２に示す展開状態から箱形状に組み立てるときには、先ず、後板３の両側から側板４を互いに対向するように起立させ、各底フラップ６を底板１と後板３との境界の折目線ｂ上に沿うように折り曲げる。次いで、後板３を底板１の後側縁から起立させる。これにより、図３（ａ）に示すように、両底フラップ６が底板１上に重合される。なお、実際の組立の際には、両手の夫々で左右の底フラップ６を把持して折り曲げ状態を維持し、そのまま、底フラップ６を底板１に向かって押し下げることにより後板３を起き上がらせるようにしてもよい。
【００２３】
底フラップ６が、図３（ａ）に示すように底板１上に重合すると、底板１の係止片１２上に合致して底フラップ６の凹部１３が位置される。この状態から、図３（ｂ）に示すように、係止片１２を引き起こす。このとき、指掛け穴１４に指を差し込んで係止片１２の先端縁１２ａに容易に指を掛けることができる。そして、起立した係止片１２は凹部１３に受入れられて係止状態となる。係止片１２は台形状でありその基部が幅の狭い凹部１３の奥縁に係止されるので、底フラップ６は底板１からの浮き上がりが確実に防止された状態となり、これによって、作業者が底フラップ６を底板１上に押さえつけておくことなく底フラップ６と底板１との重合状態を維持することができる。
【００２４】
続いて、前板２の両側から耳片１０を互いに対向するように起立させ、この状態を維持しながら前板２を底板１の前側縁から起立させる。そして、各耳片１０を夫々側板４の内面に重合させる。このとき、起立する係止片１２により底フラップ６と底板１との重合状態が維持されているので、作業者は両手で耳片１０を把持したまま容易に前板２を起立させることができ、極めて迅速に作業を進めることができる。
【００２５】
次いで、図３（ｃ）に示すように、各天フラップ７から折返片８を遊離させて内側下方に折返し、各耳片１０の内面に重合させる。このとき、折返片８の先端を係止穴９に挿着して係止させることにより、折返片８が側板４との間に耳片１０を抱き込んだ状態が維持され、図１に示す組立状態となる。そして、このように折返片８により組立状態が維持されていれば、係止片１２と凹部１３との係止状態を解除してもよい。そこで、図３（ｃ）に示すように、係止片１２を底板１に戻すことで、係止片１２の遊離により底板１に形成させた穴を塞ぐことができる。
【００２６】
なお、本実施形態では、係止片１２を受け入れて係止させる本考案の受け部の一例として凹部１３を採用したが、本考案の受け部は、係止片１２が形成されている位置に応じて設けることができ、例えば、図示しないが、係止片１２に対応する貫通孔を底フラップ６に設けてもよい。また、係止片１２の先端縁１２ａに指を掛け易くするための指掛け穴１４は、本実施形態の形状に限るものではなく、図示しないが、係止片１２の先端縁１２ａの一部を切欠いて形成してもよく、また、係止片１２を底板から遊離させるための切目線ｋのうち、係止片１２の先端縁１２ａに沿った部分を幅広のスリット状に切欠いて係止片１２の先端縁１２ａ側に空隙を形成するようにしてもよい。
【図面の簡単な説明】
【００２７】
【図１】本考案の一実施形態の組立包装箱の外観を示す説明的斜視図。
【図２】本実施形態の組立包装箱の展開図。
【図３】本実施形態の組立包装箱の組立作業時における要部を示す説明図。
【符号の説明】
【００２８】
１…底板、２…前板、３…後板、４…側板、６…底フラップ、８…折返片、１０…耳片、１２…係止片、１３…凹部（受け部）、１４…指掛け穴。
【図１】
0003134431.tif 000003
【図２】
0003134431.tif 000004
【図３】
0003134431.tif 000005